(57)【要約】      （修正有）【課題】同じ情報を表示する端末同士が簡単な操作でコミュニティ通信を行うことができる情報提供システムを提供する。【解決手段】利用者端末装置１１０が情報提供サーバ１２０から提供される情報を表示装置に表示させる情報表示制御手段３１１と、情報表示制御手段３１１を構成するブラウザソフトにプラグインされ、ブラウザに表示される情報のＵＲＬから内部制御表３２２を参照して、ＵＲＬに対応するコミュニティ・テーマを特定し、環境定義ファイル３２１に基づいてコミュニティ管理サーバ１３０と通信を行い、コミュニティ画面などの表示を行うコミュニティ通信手段３１２とを有する構成とする。【選択図】図３
2010055534.tif 000002
【特許請求の範囲】
【請求項１】
利用者端末装置と、前記利用者端末装置にネットワークを介して情報を提供する情報提供サーバと、前記ネットワークを介して前記利用者端末装置にコミュニティ環境を提供するコミュニティ管理サーバとを含む情報提供システムであって、
前記利用者端末装置は、
前記情報提供サーバから提供される情報を表示装置に表示させる情報表示制御手段と、
前記情報提供サーバから提供される情報の提供元に対応するアドレス及び利用者を識別する利用者情報を前記コミュニティ管理サーバに送信する送信手段と、
前記コミュニティ管理サーバから通信装置が受信した前記アドレスに対応付けられたコミュニティが設定されているか否かを表す情報を前記表示装置に表示する設定表示制御手段と、
入力装置により、前記アドレスに対応付けられたコミュニティに参加する要求が行われ、前記アドレスに対応付けられたコミュニティ情報からテーマを選択し書込みされると、前記コミュニティ管理サーバにコミュニティ参加要求・参加書込み情報を送信するコミュニティ参加情報送信手段とを有し、
前記コミュニティ管理サーバは、
前記利用者端末装置から受信した前記アドレス及び前記利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手段と、
前記利用者端末装置からの前記コミュニティに関する情報に基づいて前記利用者管理簿及び前記コミュニティ管理簿を更新するコミュニティ参加情報更新手段とを有する情報提供システム。
【請求項２】
ネットワークを介して利用者端末装置にコミュニティ環境を提供するコミュニティ管理サーバのコミュニティ管理方法であって、
前記利用者端末装置から受信したアドレス及び利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手順と、
前記利用者端末装置からの前記コミュニティ参加要求・参加書込み情報に基づいて前記利用者管理簿及び前記コミュニティ管理簿を更新するコミュニティ参加情報更新手順とを有するコミュニティ管理サーバのコミュニティ管理方法。
【請求項３】
前記利用者端末装置からの前記新規コミュニティ作成要求・作成書込み情報に基づいて前記利用者管理簿及び前記コミュニティ管理簿に新規コミュニティ情報を登録するコミュニティ情報登録手順を更に有する請求項２記載のコミュニティ管理サーバのコミュニティ管理方法。
【請求項４】
利用者端末装置から受信した前記アドレス及び前記利用者情報に基づいて、所定条件で、利用者の属するグループのコミュニティ条件に関する情報が登録されたコミュニティ条件管理情報を前記利用者端末装置に送信し、利用者が所定アドレス以外でのアクセスを制限する請求項２又は３記載のコミュニティ管理サーバのコミュニティ管理方法。
【請求項５】
コミュニティに新たな情報が登録されたとき、新たな情報が登録された旨の通知をコミュニティに登録されている利用者情報の利用者に送信する請求項２乃至４のいずれか一項記載のコミュニティ管理サーバのコミュニティ管理方法。
【請求項６】
前記利用者管理簿に登録された前記利用者情報に対応する利用者の利用状況が予め設定された特定の条件になったときに前記利用者情報を前記利用者管理簿から削除する請求項２乃至５のいずれか一項記載のコミュニティ管理サーバのコミュニティ管理方法。
【請求項７】
前記アドレスは、前記情報提供元のアドレスの１次リンクアドレスあるいは下位アドレスを含む請求項２乃至６のいずれか一項記載のコミュニティ管理サーバのコミュニティ管理方法。
【請求項８】
コミュニティ名を、利用者毎に登録されたコミュニティ名に変換し利用者端末に送信する請求項２乃至７のいずれか一項記載のコミュニティ管理サーバのコミュニティ管理方法。
【請求項９】
ネットワークを介して利用者端末装置にコミュニティ環境を提供するコミュニティ管理サーバであって、
前記利用者端末装置から受信したアドレス及び利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手段と、
前記利用者端末装置からの前記コミュニティ参加要求・参加書込み情報に基づいて前記利用者管理簿及び前記コミュニティ管理簿を更新するコミュニティ参加情報更新手段と、
を有するコミュニティ管理サーバ。
【請求項１０】
コンピュータに、
利用者端末装置から受信したアドレス及び利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手順と、
前記利用者端末装置からの前記コミュニティ参加要求・参加書込み情報に基づいて前記利用者管理簿及び前記コミュニティ管理簿を更新するコミュニティ参加情報更新手順とを実行させるためのコミュニティ管理プログラム。
【発明の詳細な説明】
【技術分野】
【０００１】
本発明は情報提供システム、コミュニティ管理サーバのコミュニティ管理方法、コミュニティ管理サーバ、プログラムに係り、特に、利用者端末装置と、利用者端末装置にネットワークを介して情報を提供する情報提供サーバと、ネットワークを介して利用者端末装置にコミュニティ環境を提供するコミュニティ管理サーバとを含む情報提供システム、コミュニティ管理サーバのコミュニティ管理方法、コミュニティ管理サーバ、プログラムに関する。
【背景技術】
【０００２】
インターネットの発達に伴って、ＰＣなどの端末を用いて多くの情報を閲覧できるようになっている。利用者は端末の表示装置にウェブブラウザを開くことによりウェブページを閲覧することができる。このとき、ウェブブラウザからウェブページを検索して必要な情報を取得している（例えば、特許文献１参照）。
【０００３】
一方、近年、利用者端末間で情報の交換が可能なコミュニティと呼ばれる通信システムが発達している。コミュニティによる通信システムは、利用者が予め設定された特定のコミュニティ、特定のテーマに参加することにより、参加者が特定のテーマに関する情報を相互に交換することができるシステムである。
【０００４】
コミュニティ通信では種々の参加者から特定の情報を得ることができ、有効な情報を簡単に取得できる。
【特許文献１】特開２００５−２１５７８１号公報
【発明の開示】
【発明が解決しようとする課題】
【０００５】
しかるに、従来の情報提供システムは、ウェブブラウザで参照している情報と、特定のテーマに沿って利用者端末間で相互に情報のやり取りを行うコミュニティ通信におけるコミュニティあるいはテーマとは連携していなかった。このため、参照中のウェブページに関連したコミュニティに参加する場合には、利用者が参照中のウェブページに類似したコミュニティあるいはテーマを検索して、参加する必要があり、操作が煩雑であった。
【０００６】
また、類似したコミュニティを探し出すことができたとしても、コミュニティの参加者が共通のウェブページを参照しているとは限らないので、共通の情報により議論することができなかった。
【０００７】
本発明は上記の点に鑑みてなされたもので、同じ情報を表示する端末同士が簡単な操作でコミュニティ通信を行うことができ、例えば、ウェブページに関する質問が、ウェブページに対応するコミュニティに挙げられると、そのコミュニティに参加している他の利用者はコミュニティを開いていなくてもウェブページに質問が挙げられたことが判り、質問が挙げられたコミュニティ名を閲覧したり、コミュニティに参加したりできる情報提供システム、コミュニティ管理サーバのコミュニティ管理方法、コミュニティ管理サーバ、プログラムを提供することを目的とする。
【課題を解決するための手段】
【０００８】
本発明は、利用者端末装置と、前記利用者端末装置にネットワークを介して情報を提供する情報提供サーバと、前記ネットワークを介して前記利用者端末装置にコミュニティ環境を提供するコミュニティ管理サーバとを含む情報提供システムであって、前記利用者端末装置は、前記情報提供サーバから提供される情報を表示装置に表示させる情報表示制御手段と、前記情報提供サーバから提供される情報の提供元に対応するアドレス及び利用者を識別する利用者情報を前記コミュニティ管理サーバに送信する送信手段と、前記コミュニティ管理サーバから通信装置が受信した前記アドレスに対応付けられたコミュニティが設定されているか否かを表す情報を前記表示装置に表示する設定表示制御手段と、入力装置により、前記アドレスに対応付けられたコミュニティに参加する要求が行われ、前記アドレスに対応付けられたコミュニティ情報からテーマを選択し書込みされると、前記コミュニティ管理サーバにコミュニティ参加要求・参加書込み情報を送信するコミュニティ参加情報送信手段とを有し、前記コミュニティ管理サーバは、前記利用者端末装置から受信した前記アドレス及び前記利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手段と、前記利用者端末装置からの前記コミュニティに関する情報に基づいて前記利用者管理簿及び前記コミュニティ管理簿を更新するコミュニティ参加情報更新手段とを有することを特徴とする。
【０００９】
また、本発明は、ネットワークを介して利用者端末装置にコミュニティ環境を提供するコミュニティ管理サーバのコミュニティ管理方法であって、前記利用者端末装置から受信したアドレス及び利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手順と、前記利用者端末装置からの前記コミュニティ参加要求・参加書込み情報に基づいて前記利用者管理簿及び前記コミュニティ管理簿を更新するコミュニティ参加情報更新手順とを有することを特徴とする。
【００１０】
前記利用者端末装置からの前記新規コミュニティ作成要求・作成書込み情報に基づいて前記利用者管理簿及び前記コミュニティ管理簿に新規コミュニティ情報を登録するコミュニティ情報登録手順を更に有することを特徴とする。
【００１１】
また、利用者端末装置から受信した前記アドレス及び前記利用者情報に基づいて、所定条件で、利用者の属するグループのコミュニティ条件に関する情報が登録されたコミュニティ条件管理情報を前記利用者端末装置に送信し、利用者が所定アドレス以外でのアクセスを制限することを特徴とする。コミュニティに新たな情報が登録されたとき、新たな情報が登録された旨の通知をコミュニティに登録されている利用者情報の利用者に送信する。前記利用者管理簿に登録された前記利用者情報に対応する利用者の利用状況が予め設定された特定の条件になったときに前記利用者情報を前記利用者管理簿から削除する。前記アドレスは、前記情報提供元のアドレスの１次リンクアドレスあるいは下位アドレスを含むことを特徴とする。コミュニティ名を、利用者毎に登録されたコミュニティ名に変換し利用者端末に送信することを特徴とする。
【００１２】
さらに、本発明は、ネットワークを介して利用者端末装置にコミュニティ環境を提供するコミュニティ管理サーバであって、前記利用者端末装置から受信したアドレス及び利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手段と、
【００１３】
前記利用者端末装置からの前記コミュニティ参加要求・参加書込み情報に基づいて前記利用者管理簿及び前記コミュニティ管理簿を更新するコミュニティ参加情報更新手段と、
を有することを特徴とする。
【００１４】
また、本発明は、コンピュータに、利用者端末装置から受信したアドレス及び利用者情報に基づいて利用者に関する情報が記憶されている利用者管理簿及びコミュニティに関する情報が記憶されたコミュニティ管理簿を参照し、前記アドレスと対応付けられたコミュニティに関する情報を前記利用者端末装置に送信するコミュニティ情報送信手順と、前記利用者端末装置からの前記コミュニティ参加要求・参加書込み情報に基づいて前記利用者管理簿及び前記コミュニティ管理簿を更新するコミュニティ参加情報更新手順とを実行させるためのコミュニティ管理プログラムである。
【発明の効果】
【００１５】
本発明によれば、情報提供サーバから提供された情報の提供元のアドレスに基づいて、情報提供サーバから提供された情報に対応するコミュニティによりコミュニティ通信を可能とすることにより、同じ情報を表示する端末同士が簡単な操作でコミュニティ通信を行うことができ、これにより、コミュニティ通信により必要な情報を即座に得ることが可能となる。
【発明を実施するための最良の形態】
【００１６】
図１は本発明の一実施例のシステム構成図を示す。
【００１７】
本実施例の情報提供システム１００は、利用者端末装置（以下、利用者端末とする）１１０、情報提供サーバ１２０、コミュニティ管理サーバ１３０、編集端末装置（以下、編集端末とする）１４０を有し、ネットワーク１５０を介して互いに通信可能な構成とされている。
【００１８】
図２は利用者端末１１０のブロック構成図を示す。
【００１９】
利用者端末１１０は、コンピュータシステムであり、処理装置１１１、入力装置１１２、記憶装置１１３、通信装置１１４、表示装置１１５、メモリ１１６などを含む構成とされている。処理装置１１１はＣＰＵなどから構成されており、入力装置１１２などから入力されるコマンドに基づいて記憶装置１１３にインストールされたブラウザなどのプログラムを実行する。入力装置１１２は、例えば、キーボード、マウスなどから構成されており、利用者の操作によってコマンド、データなどが入力される。記憶装置１１３はハードディスクドライブ、ＣＤ、ＤＶＤドライブであり、ブラウザなどのプログラムや各種データ、設定値、テーブルなどが記憶される。
【００２０】
通信装置１１４は、例えば、モデム、ＬＡＮアダプタなどから構成されており、ネットワーク１５０を介して情報提供サーバ１２０、コミュニティ管理サーバ１３０、編集端末１４０などとの通信制御を行う。表示装置１１５は、例えば、ＬＣＤ、ＣＲＴなどから構成されており、ブラウザ、コミュニティの情報などを表示する。メモリ１１６は、ＲＡＭなどから構成されており、処理装置１１１の作業用記憶領域として用いられる。
【００２１】
利用者は、利用者端末１１０を操作してウェブブラウザを開き、情報提供サーバ１２０に情報の提供を要求する。
【００２２】
情報提供サーバ１２０は、コンピュータシステムから構成されており、概ね利用者端末１１０と同様に処理装置、入力装置、記憶装置、通信装置、表示装置、メモリなどを含む構成とされている。情報提供サーバ１２０は、利用者端末１１０からの要求に応じた情報を利用者端末１１０に提供する。利用者端末１１０は、情報提供サーバ１２０から提供された情報をブラウザの情報表示領域に表示する。
【００２３】
コミュニティ管理サーバ１３０は、コンピュータシステムから構成されており、概ね利用者端末１１０と同様に処理装置、入力装置、記憶装置、通信装置、表示装置、メモリなどを含む構成とされている。
【００２４】
コミュニティ管理サーバ１３０はコミュニティを管理しており、利用者端末１１０からの登録要求、参加要求、停止要求、削除要求などに基づいてコミュニティの登録、コミュニティへの参加、コミュニティからの離脱、コミュニティの削除などの処理を実行する。
【００２５】
図３は本発明の一実施例の機能ブロック図を示す。
【００２６】
〔利用者端末１１０〕
利用者端末１１０は、プログラムによる機能として、情報表示制御手段３１１、コミュニティ通信手段３１２、環境定義ファイル３２１、内部制御表３２２などを含む構成とされている。
【００２７】
情報表示制御手段３１１は、ブラウザソフトなどであり、情報提供サーバ１２０から提供される情報を表示装置１１５に表示させる機能を有する。
コミュニティ通信手段３１２は、情報表示制御手段３１１を構成するブラウザソフトにプラグインされ、ブラウザに表示される情報のＵＲＬから内部制御表３２２を参照して、ＵＲＬに対応するコミュニティ・テーマを特定し、環境定義ファイル３２１に基づいてコミュニティ管理サーバ１３０と通信を行い、後述するようなコミュニティ画面などの表示を行う。コミュニティ通信手段３１２は、送信手段、設定表示制御手段、コミュニティ参加情報送信手段、コミュニティ作成情報送信手段などの機能を含む。
【００２８】
また、コミュニティ通信手段３１２に含まれる送信手段は、情報提供サーバ１２０から提供される情報の提供元に対応するアドレス及び利用者を識別する利用者情報をコミュニティ管理サーバ１３０に送信する手段である。設定表示制御手段は、コミュニティ管理サーバ１３０から通信装置１１４が受信したアドレスに対応付けられたコミュニティが設定されているか否かを表す情報を表示装置に表示する機能を有する手段である。
【００２９】
コミュニティ参加情報送信手段は、入力装置１１２により、アドレスに対応付けられたコミュニティに参加する要求が行われ、アドレスに対応付けられたコミュニティ情報からテーマを選択し書込みされると、コミュニティ管理サーバ１３０にコミュニティ参加要求・参加書込み情報を送信する手段である。
【００３０】
環境定義ファイル３２１は、後述するブラウザなどの情報表示領域に表示される情報に対応してコミュニティを設定しようとする利用者の利用者識別名が設定される。
内部制御表３２２は、情報提供サーバ１２０から提供される情報の提供元のアドレスとコミュニティ管理サーバ１３０に登録されたコミュニティとを対応付ける情報が設定される。
【００３１】
図４は環境定義ファイル３２１のデータ構成図、図５は内部制御表３２２のデータ構成図を示している。
【００３２】
環境定義ファイル３２１は、利用者ＩＤを含む構成とされている。また、内部制御表３２２は、ＵＲＬ、コミュニティＩＤ、テーマＩＤ、状態情報を含む構成とされ、ＵＲＬに対応するコミュニティ及びテーマを設定することができる構成とされている。また、状態情報は、コミュニティ通信が稼働中か、中断中かを識別するための情報である。
【００３３】
なお、１つのＵＲＬに対して複数のコミュニティＩＤ、テーマＩＤ、状態情報を設定することができる。また、利用者端末１１０にインストールされるコミュニティ通信手段３１２は、ウェブブラウザのプラグインプログラムではなく、利用者端末１１０で、独立で動くプログラムであってもよい。なお、独立して、動くプログラムで構成した場合、現在、ウェブブラウザに表示されているウェブページが有効であることを認識する機能を備え、ウェブブラウザと同期して機能するようにする。なお、ウェブページが有効であるとは、ウェブページがアクティブ情報であること、また、最前面にあるウェブページであることである。これにより、ウェブブラウザに表示されているウェブページに対応するコミュニティと通信が可能となる。
【００３４】
〔情報提供サーバ１２０〕
情報提供サーバ１２０は、認証手段１２１、ウェブページ１２２、コミュニティ禁止登録手段１２３、コミュニティ禁止削除手段１２４を含む構成とされている。
【００３５】
認証手段１２１は、ＩＤ及びパスワードなどにより利用者を識別し、編集端末１４０からのアクセスの認証を行う。編集端末１４０は認証手段１２１により認証されると、情報提供サーバ１２０にアクセスして、ウェブページのコミュニティの禁止、コミュニティの禁止の削除などの操作を行うことが可能となる。
【００３６】
ウェブページ１２２は、利用者端末１１０から要求に応じて利用者端末１１０に提供される。コミュニティ禁止登録手段１２３は、認証手段１２１により認証された利用者により操作が可能であり、利用者のウェブページに対してコミュニティを作成することを禁止する操作を行うものである。コミュニティ禁止削除手段１２４は、認証手段１２１により認証された利用者により操作が可能であり、利用者のウェブページに対してコミュニティ作成禁止を解除する操作を行うものである。
【００３７】
〔コミュニティ管理サーバ１３０〕
コミュニティ管理サーバ１３０は、図３に示すように、制御手段１３１、コミュニティ管理手段１３２、コミュニティ通信手段１３３、利用者管理簿１３４、内部制御表１３５、コミュニティ管理簿１３６、コミュニティ禁止簿１３７、履歴情報１３８、環境定義ファイル１３９を含む構成とされている。
【００３８】
制御手段１３１は、コミュニティ管理サーバ１３０の全体制御を行う。
【００３９】
コミュニティ管理手段１３２は、利用者端末装置１１０から受信したアドレス及び利用者情報に基づいて利用者に関する情報が記憶されている利用者管理簿１３４及びコミュニティに関する情報が記憶されたコミュニティ管理簿１３６を参照し、アドレスと対応付けられたコミュニティに関する情報を利用者端末装置１１０に送信するコミュニティ情報送信手段と、利用者端末装置１１０からのコミュニティに関する情報に基づいて利用者管理簿１３４及びコミュニティ管理簿１３６を更新するコミュニティ参加情報更新手段を含み、利用者管理簿１３４、内部制御表１３５、コミュニティ管理簿１３６、履歴情報１３８により利用者及びコミュニティの情報を取得し、コミュニティの管理を行うとともに、コミュニティ禁止簿１３７によりコミュニティを作成することが禁止されているＵＲＬに対応するコミュニティの作成を禁止する処理を行う。
【００４０】
また、コミュニティ管理手段１３２は、利用者端末１１０から提供される新規コミュニティ作成要求・作成書込み情報に基づいて利用者管理簿１３４及びコミュニティ管理簿１３６に新規コミュニティ情報を登録する処理を行うコミュニティ情報登録手段を含む。
【００４１】
コミュニティ通信手段１３３は、コミュニティ管理手段１３２により管理されている管理情報に基づいてコミュニティ情報の送受信を行う。
また、コミュニティ通信手段１３３は、コミュニティに新たな情報が登録されたとき、新たな情報が登録された旨の通知をコミュニティに登録されている利用者情報の利用者端末１１０に送信する。具体的には、コミュニティ通信手段１３３は、図示しない情報更新送信手段を含み、情報更新送信手段は、コミュニティに情報がアップされたときに利用者情報管理簿１３４を参照して、情報がアップされたコミュニティに参加する利用者情報を取得し、取得した利用者情報のメールアドレスに対して電子メールにより情報がアップされた旨の通知を行う。なお、情報アップの通知は、電子メールに限定されるものではなく、利用者端末１１０と通信可能な状態でＰＯＰアップ画面により通知するようにしてもよい。これにより、参加しているコミュニティに新たな発言があったときに、利用者がコミュニティを開かなくともコミュニティに新たな発言があったことに気づくことができる。
ここで、利用者管理簿１３４について説明する。
【００４２】
図６は利用者管理簿１３４のデータ構成図を示す。
【００４３】
利用者管理簿１３４は、利用者ＩＤ、端末識別情報、コミュニティ情報、テーマ情報を含む構成とされている。利用者ＩＤは、利用者を識別する情報である。端末識別情報は、例えば、ＩＰアドレスから構成されており、利用者端末１１０を識別するための情報である。コミュニティ情報は、コミュニティＩＤ、有効期間、最終アクセス時刻などの情報を含む。コミュニティＩＤは、コミュニティを識別するための情報である。有効期間は、コミュニティに設定された有効期間を示す情報である。最終アクセス時刻は、コミュニティに最後にアクセスされた時刻を示す情報である。テーマ情報は、テーマＩＤ、有効期間、最終アクセス時刻を含む。テーマＩＤは、テーマを識別するための情報である。有効期間は、テーマに設定された有効期間を示す情報である。最終アクセス時刻は、テーマに最後にアクセスされた時刻を示す情報である。
【００４４】
利用者管理簿１３４により利用者が属するコミュニティ及びテーマを認識できるとともに、その有効期間、コミュニティ及びテーマへの最終アクセス時刻を認識できる。
なお、このとき、利用者管理簿１３４に登録された利用者情報に対応する利用者の利用状況が予め設定された特定の条件になったときに利用者情報を利用者管理簿１３４から削除する処理を行うことができる。例えば、参加しているコミュニティからの脱退は、所定値、または利用者の設定値により所定時間、条件で削除、脱退するように設定することができる。具体的には、利用者がコミュニティやテーマに質問の書き込みをする場合、有効期間２日以内に回答がなければ、脱退するように設定でき、利用者情報やテーマ・コミュニティに関する情報を削除することができる。これにより、利用者が停止を忘れても、データを無駄に保存すること等を防ぐことができる。
【００４５】
次に内部制御表１３５について説明する。
【００４６】
図７は内部制御表１３５のデータ構成図を示す。図１４（Ａ）はコミュニティ制御表、図１４（Ｂ）はテーマ制御表を示している。
【００４７】
内部制御表１３５は、図７（Ａ）に示すコミュニティ制御表１３５ａ及び図７（Ｂ）に示すテーマ制御表１３５ｂ、図７（Ｃ）に示す通知アドレス指定表１３５ｃを含む構成とされている。
【００４８】
コミュニティ制御表１３５ａは、図７（Ａ）に示すようにコミュニティＩＤ、利用者数、最終アクセス時刻などの情報を含む構成とされている。
【００４９】
コミュニティＩＤはコミュニティを識別するための情報である。利用者数は、コミュニティ通信を行っている利用者数を示す情報である。最終アクセス時刻は、対象となるコミュニティに利用者が最後にアクセスした時刻を示す。
【００５０】
テーマ制御表１３５ｂは、図７（Ｂ）に示すようにテーマＩＤ、最終アクセス時刻、利用者数、利用者ＩＤなどを含む構成とされている。テーマＩＤは対象となるコミュニティに登録されたテーマを識別する情報である。最終アクセス時刻は、対象となるテーマに利用者が最後にアクセスした時刻を示す。利用者数は、対象となるテーマの利用者数を示す情報である。利用者ＩＤは、対象となるテーマの利用者を識別するための情報である。
通知アドレス指定表１３５ｃは、図７（Ｃ）に示すようにコミュニティの存在の有無をコミュニティ管理サーバ１３０に問い合わせるアドレスを指定するための制御表であり、ウェブページなどウェブブラウザに表示される情報のアドレス及び利用者識別情報から構成されている。通知アドレス指定表１３５ｃを設けることにより、利用者毎にウェブページに対応して登録されたコミュニティの存在を容易に把握でき、コミュニティ管理サーバ１３０側での利用者端末１１０からの問い合わせに対する応答を少なくでき、コミュニティ管理サーバ１３０での処理の負荷を軽減できる。
【００５１】
次にコミュニティ管理簿１３６について説明する。
【００５２】
図８はコミュニティ管理簿１３６のデータ構成図を示す。図８（Ａ）コミュニティ管理表、図８（Ｂ）はテーマ管理表を示している。
【００５３】
コミュニティ管理簿１３６は、図８（Ａ）に示すコミュニティ管理表１３６ａ及び図８（Ｂ）に示すテーマ管理表１３６ｂから構成されている。
【００５４】
コミュニティ管理表１３６ａは、図８（Ａ）に示すようにコミュニティＩＤ、コミュニティ名、作成時刻から構成されている。コミュニティＩＤは、利用者端末１１０からのコミュニティ作成要求に応じて作成されたコミュニティを識別するための情報であり、利用者管理簿１３４、内部制御表１３５のテーマ制御表１３５ａ、テーマ管理表１３６ｂ、履歴情報ファイル１３８、利用者端末１１０の内部制御表３２２のコミュニティＩＤで共通して用いられる。コミュニティ名は、コミュニティの名称を示す情報であり、利用者によって設定される。作成時刻は、コミュニティを作成した日時を示す情報である。
【００５５】
テーマ管理表１３６ｂは、図８（Ｂ）に示すようにコミュニティＩＤ、テーマＩＤ、テーマ名、作成時刻から構成される。
【００５６】
コミュニティＩＤは、利用者端末１１０からのコミュニティ作成要求に応じて作成されたコミュニティを識別するための情報であり、コミュニティ管理表１３６ａを共通化している。されている。テーマＩＤは、コミュニティ内に作成されたテーマを識別するための情報であり、利用者管理簿１３４、内部制御表１３５のテーマ制御表１３５ｂ、履歴情報ファイル１３８、利用者端末１１０の内部制御表３２２などと共通化している。テーマ名は、テーマの名称を示す情報であり、利用者によって設定される。作成時刻は、テーマを作成した日時を示す情報である。
【００５７】
上記コミュニティ管理簿１３６によって、コミュニティ・テーマが管理されている。
【００５８】
次にコミュニティ禁止簿１３７について説明する。
【００５９】
図９はコミュニティ禁止簿１３７のデータ構成図を示す。
【００６０】
コミュニティ禁止簿１３７は、情報提供元のＵＲＬを含む構成とされており、情報提供サーバ１２０のコミュニティ禁止登録手段１２３により登録される。このコミュニティ禁止簿１３７に登録されたＵＲＬに対してはコミュニティの作成が禁止される。また、コミュニティ禁止簿１３７に登録されるＵＲＬは、情報提供サーバ１２０のコミュニティ禁止削除手段１２４からの指示により削除される。
【００６１】
次に履歴情報ファイル１３８について説明する。
【００６２】
図１０は履歴情報ファイル１３８のデータ構成図を示す。
【００６３】
履歴情報ファイル１３８は、コミュニティ時刻、コミュニティＩＤ、テーマＩＤ、利用者ＩＤ、発言内容を含む構成とされている。
【００６４】
コミュニティ時刻は、発言内容が登録された時刻を示す情報である。コミュニティＩＤは、発言内容が登録されたコミュニティを識別する情報である。テーマＩＤは、発言内容が登録されたテーマを識別する情報である。利用者ＩＤは、発言した利用者を識別するための情報である。発言内容は、発言内容を示す情報である。
【００６５】
次に環境定義ファイル１３９について説明する。
【００６６】
図１１は環境定義ファイル１３９のデータ構成図を示す。
【００６７】
環境定義ファイル１３９は、監視時間、履歴保存時間を含む構成とされている。監視時間は、発言内容の監視間隔を定義する情報である。履歴保存時間は、発言内容の保存時間を定義する情報である。
【００６８】
〔編集端末１４０〕
編集端末１４０は、プログラムにより通信手段１４０ａ及びエディタ１４０ｂを含む処理機能を実現している。通信手段１４０ａは、ネットワーク１５０を介して情報提供サーバ１２０と通信を行う。情報提供サーバ１２０は、認証手段１２１により編集端末１４０の認証処理を行い、認証されると、編集端末１４０によるウェブページ１２２の更新、コミュニティ禁止登録手段１２３、コミュニティ禁止削除手段１２４の操作を許可する。
【００６９】
エディタ１４０ｂは、情報提供サーバ１２０のウェブページ１２２の編集、コミュニティ禁止登録手段１２３、コミュニティ禁止削除手段１２４の操作などを行うためのプログラムである。
【００７０】
なお、利用者がコミュニティに参加した状態は、コミュニティ管理サーバ１３０の利用者管理簿１３４に利用者情報が登録されている状態である。利用者が新規にコミュニティ・テーマを作成すると、利用者管理簿１３４に利用者情報が登録され、参加状態となる。また、既存のコミュニティ・テーマに利用者が参加要求を行うと、書き込みの有無を問わず、利用者管理簿１３４に利用者情報が登録される。なお、単に、コミュニティ・テーマを参照するだけでは、利用者管理簿１３４に利用者情報は登録されない。また、利用者がコミュニティ・テーマを開いていない場合であっても利用者管理簿１３４からの利用者情報の削除を要求するまでは参加状態となる。
【００７１】
〔操作画面〕
利用者は、ウェブページを参照中にコミュニティ通信ボタンをクリックすることにより、同じウェブページを見ている利用者同士がコミュニティ通信を行うことが可能となる。
【００７２】
まず、情報提供サーバ１２０から提供される情報（ウェブページ）を表示させるブラウザ画面について説明する。
【００７３】
図１２はブラウザ画面の一例を示す図である。
【００７４】
ブラウザ画面２１０は、メニュー表示領域２１１、ツールバー表示領域２１２、コミュニティメニュー表示ボタン２１３、アドレス表示領域２１４、情報表示領域２１５、ステータスバー２１７、テーマ参照領域２１８を含む構成とされている。
【００７５】
メニュー表示領域２１１には、ブラウザに関する各種設定を行うためのメニューボタンが項目毎に表示される。ツールバー表示領域２１２には、ユーザが行う機能を簡易化するためによく使う機能が複数並べられた各種のメニューボタンが表示される。
【００７６】
コミュニティメニュー表示ボタン２１３は、コミュニティを操作するためのメニューを表示させるための操作ボタンである。コミュニティメニュー表示ボタン２１３を表示することによりメニュー一覧２１６が表示される。メニュー一覧２１６は、コミュニティを操作するためのメニュー項目の一覧であり、設定ボタン２２１、作成ボタン２２２、停止ボタン２２３、参照ボタン２２４、参加ボタン２２５を含む構成とされている。
【００７７】
利用者が設定ボタン２２１をクリックすると、環境設定画面２３０が表示装置１１５の表示画面に表示される。
【００７８】
ステータスバー２１７には、表示画面の現在状態に関する情報が表示される。
【００７９】
テーマ参照領域２１８は、情報表示領域２１５に表示されている情報に対応して設定されているテーマが表示される。
このとき、ブラウザ画面２１０の情報表示領域２１５に情報が表示された状態でコミュニティ及びテーマが作成されると、内部制御表３２２には情報表示領域２１５に表示された情報のＵＲＬに対応するコミュニティ及びテーマが設定される。
【００８０】
図１３は環境設定画面２３０の一例を示す図である。
【００８１】
環境設定画面２３０は、利用者識別名入力領域２３１、キャンセルボタン２３２、設定ボタン２３３を含む構成とされている。利用者識別名入力領域２３１に利用者識別名を入力して設定ボタン２３３をクリックすることにより、環境定義ファイル３２１に情報表示領域２１５に表示される情報に対応してコミュニティを設定しようとする利用者の利用者識別名が設定される。なお、キャンセルボタン２３２により環境設定操作がキャンセルされ、環境設定画面２３０は表示装置１１５の表示画面から消去される。
【００８２】
利用者が作成ボタン２２２をクリックすると、コミュニティ作成画面２４０が表示装置１１５の表示画面に表示される。
【００８３】
図１４はコミュニティ作成画面２４０の一例を示す図である。
【００８４】
コミュニティ作成画面２４０は、コミュニティ名表示領域２４１、テーマ一覧表示領域２４２、新規テーマ名入力領域２４３、キャンセルボタン２４４、設定ボタン２４５を含む構成とされている。コミュニティ名表示領域２４１には、既に設定されているコミュニティ名が表示される。
【００８５】
テーマ一覧表示領域２４２には、コミュニティに設定されているテーマの一覧が表示される。新規テーマ名入力領域２４３は、新規テーマ名を入力するための領域である。新規テーマ名入力領域２４３に新規テーマ名を入力して設定ボタン２４５をクリックすることにより、新規テーマが設定される。なお、キャンセルボタン２４４をクリックすることにより、新規テーマ設定動作がキャンセルされ、コミュニティ作成画面２４０は表示装置１１５の表示画面から消去される。
【００８６】
利用者が停止ボタン２２３をクリックすると、停止画面２５０が表示装置１１５の表示画面に表示される。
【００８７】
図１５は停止画面２５０の一例を示す図である。
【００８８】
停止画面２５０は、テーマ一覧表示領域２５１、停止テーマ指示領域２５２、キャンセルボタン２５３、設定ボタン２５４を含む構成とされている。
【００８９】
テーマ一覧表示領域２５１には、利用者が設定したテーマの名称が一覧表示されている。停止テーマ指示領域２５２は一覧表示されたテーマに対応して設けられており、利用者が停止しようとするテーマの領域をクリックすることにより、チェック（図では黒色の塗りつぶし）が付く。次に設定ボタン２５４をクリックすると、チェックが付いたテーマが削除される。
【００９０】
なお、キャンセルボタン２５３をクリックすることにより、テーマ停止動作がキャンセルされ、停止画面２５０は表示装置１１５の表示画面から消去される。
【００９１】
利用者が参照ボタン２２４をクリックすると、参照画面２６０が表示装置１１５の表示画面に表示される。
【００９２】
図１６は参照画面２６０の一例を示す図である。
【００９３】
参照画面２６０は、テーマ一覧表示領域２６１、参加テーマ指示領域２６２、キャンセルボタン２６３、設定ボタン２６４を含む構成とされている。
【００９４】
テーマ一覧表示領域２６１には、登録されているテーマの名称が一覧表示されている。
【００９５】
参加テーマ指示領域２６２は一覧表示されたテーマに対応して設けられており、利用者が参照しようとするテーマの領域をクリックすることにより、チェック（図では黒色の塗りつぶし）が付く。次に設定ボタン２６４をクリックすると、チェックが付いたテーマを含むコミュニティ画面が表示装置１１５の表示画面に表示される。
【００９６】
なお、キャンセルボタン２６３をクリックすることにより、テーマ参照動作がキャンセルされ、参照画面２６０は表示装置１１５の表示画面から消去される。
【００９７】
また、対象となるテーマが１件の場合には、テーマ一覧は表示せず、直接コミュニティ画面を表示するようにしてもよい。これによって、不要な操作を削減できる。
【００９８】
また、利用者が参加ボタン２２５をクリックすると、コミュニティ画面２７０が直接的に表示装置１１５の表示画面に表示される。
【００９９】
図１７はコミュニティ画面２７０の一例を示す図である。
【０１００】
コミュニティ画面２７０は、テーマ一覧表示領域２７１、参加テーマ指示領域２７２、発言履歴表示領域２７３、発言内容入力領域２７４、発言ボタン２７５、中断ボタン２７６、履歴ボタン２７７を含む構成とされている。
【０１０１】
テーマ一覧表示領域２７１には、登録されているテーマの名称が一覧表示されている。
【０１０２】
参加テーマ指示領域２７２は一覧表示されたテーマに対応して設けられており、利用者が参加しようとするテーマの領域をクリックすることにより、チェック（図では黒色の塗りつぶし）が付く。発言履歴表示領域２７３には、参加テーマ指示領域２７２でチェックされたテーマの参加者の最新の発言内容が、例えば、時系列的に表示される。また、発言内容入力領域２７４には、利用者の発言内容が入力される。
【０１０３】
発言内容入力領域２７４に発言内容を入力した後に、発言ボタン２７５をクリックすると、発言内容入力領域２７４に入力された発言内容がコミュニティ管理サーバ１３０に送信され、選択されたテーマの発言として登録される。
【０１０４】
利用者が中断ボタン２７６をクリックすると、コミュニティ管理サーバ１３０との通信が中断される。また、利用者が履歴ボタン２７７をクリックすると、発言履歴画面２８０が表示装置１１５の表示画面に表示される。
【０１０５】
図１８は発言履歴画面２８０の一例を示す図である。
【０１０６】
発言履歴画面２８０は、発言内容表示領域２８１、戻るボタン２８２を含む構成とされている。発言内容表示領域２８１には、テーマの参加者全員の発言の内容が、例えば、時系列的に表示される。利用者が戻るボタン２８２をクリックすると、発言履歴画面２８０が表示装置１１５の表示画面から消去され、コミュニティ画面２７０に戻る。
【０１０７】
次に本実施例の情報提供システム１００の動作について説明する。
【０１０８】
図１９は情報提供システム１００の処理フローチャートを示す。
【０１０９】
利用者端末１１０は、利用者の入力装置１１２の操作によりウェブブラウザの起動が指示されると、ステップＳ１−１でウェブブラウザが起動される。利用者端末１１０は、利用者の入力装置１１２の操作により情報が要求されると、ステップＳ１−２で情報提供サーバ１２０に情報を要求する。
【０１１０】
情報提供サーバ１２０は、ステップＳ２−１で情報要求を受信すると、ステップＳ２−２で要求された情報を検索し、ステップＳ２−３で情報要求を送信した利用者端末１１０に送信する。
【０１１１】
利用者端末１１０は、ステップＳ１−３で情報提供サーバ１２０から要求した情報を受信すると、ステップＳ１−４で表示装置１１５に表示する。利用者端末１１０は、ステップＳ１−５でウェブブラウザ画面２１０のコミュニティメニュー表示ボタン２１３がクリックされると、図４に示すようなコミュニティメニュー画面２１６が表示される。
【０１１２】
ここで、コミュニティメニュー画面２１６で作成ボタン２２２がクリックされると、ステップＳ１−６でコミュニティ管理サーバ１３０にコミュニティ登録要求を送信する。コミュニティ登録要求には、現在ブラウザに開いているウェブページのＵＲＬ、利用者ＩＤ、コミュニティ名、テーマ名などの情報を含む。
【０１１３】
コミュニティ管理サーバ１３０はステップＳ３−１で利用者端末１１０からコミュニティ登録要求を受信すると、ステップＳ３−２でコミュニティ禁止簿１３７を参照して、コミュニティ・テーマを登録しようとしているウェブページのＵＲＬが含まれているか否かを判断する。コミュニティ管理サーバ１３０は、コミュニティ・テーマを登録しようとしているウェブページのＵＲＬがコミュニティ禁止簿１３７に含まれている場合には、ステップＳ３−３で通知されたＵＲＬに対するコミュニティ・テーマの登録を禁止する通知を利用者端末１１０に通知する。
【０１１４】
利用者端末１１０は、ステップＳ１−７で登録禁止通知を受信すると、ステップＳ１−８で要求したコミュニティ登録要求を禁止する旨の登録禁止表示を行う。
また、コミュニティ管理サーバ１３０は、ステップＳ３−２で、コミュニティ・テーマを登録しようとしているウェブページのＵＲＬがコミュニティ禁止簿１３７に含まれていなければ、ステップＳ３−４で、利用者ＩＤ、コミュニティ名、テーマ名などからコミュニティＩＤ、テーマＩＤなどを作成し、利用者管理簿１３４、内部制御表１３５、コミュニティ管理簿１３６などに登録する。また、コミュニティ管理サーバ１３０は、作成されたコミュニティＩＤ、テーマＩＤを利用者端末装置１１０に送信する。
【０１１５】
利用者端末１１０は、ステップＳ１−９でコミュニティ管理サーバ１３０からコミュニティ登録要求を行ったコミュニティのコミュニティＩＤ及びテーマＩＤを受信すると、コミュニティ登録が完了したと判断して、ステップＳ１−１１で環境定義ファイル３２１及び内部制御表３２２に情報を登録する。なお、利用者端末１１０は、ステップＳ１−９でコミュニティ管理サーバ１３０から何の通知もなければ、ステップＳ１−１０でコミュニティ登録要求に対する処理がエラーであることを示すエラー表示を行う。
【０１１６】
以上により、ウェブブラウザ画面２１０に表示されている情報に対応するコミュニティ・テーマが登録される。
なお、コミュニティからの脱退は、ユーザが所定条件を設定し、所定条件となったときに、自動的に脱退するようにすることもできる。所定条件の一例は、質問の書き込みを行ってから一定期間、例えば、２日以内に回答が無ければ、利用者情報を消去することにより、脱退できるようにすることである。また、所定条件の他の例は、単純に、一定期間、例えば、１か月経過すると、利用者情報が消去され、脱退できるようにすることである。
なお、上記の条件は、あくまでも一例であり、これらの条件に限定されるものではない。
【０１１７】
利用者端末１１０は、コミュニティメニュー画面２１６から参加ボタン２２５が操作され、ステップＳ１−１２でコミュニティへの参加要求が行われると、ステップＳ１−１３で内部制御表３２２を参照して、現在表示装置１１５のウェブブラウザ画面に表示されている情報のＵＲＬに基づいて対応するコミュニティＩＤ、テーマＩＤを取得し、ステップＳ１−１４で利用者ＩＤを付与してコミュニティ管理サーバ１３０に送信する。
【０１１８】
コミュニティ管理サーバ１３０は、ステップＳ３−５で利用者端末１１０からコミュニティ・テーマ参加要求を受信すると、ステップＳ３−６で利用者管理簿１３４、コミュニティ管理簿１３６を参照して、要求されたコミュニティＩＤ、テーマＩＤに対応するコミュニティ・テーマを検索する。
【０１１９】
コミュニティ管理サーバ１３０は、ステップＳ３−７で、利用者端末１１０から要求されたコミュニティＩＤ・テーマＩＤのコミュニティ・テーマ内で利用者端末１１０とコミュニティ通信を開始する。利用者端末１１０は、ステップＳ１−１５で、コミュニティ管理サーバ１３０によりコミュニティ通信が開始されると、ステップＳ１−１６でコミュニティ管理サーバ１３０から提供されるコミュニティ・テーマの情報を表示装置１１５に表示させる。なお、利用者端末１１０は、コミュニティ通信が開始されると、内部制御表３２２の対応するコミュニティ・テーマの状態を稼働状態に変更する。
【０１２０】
利用者端末１１０は、ステップＳ１−１７、Ｓ１−１８でコミュニティメニュー画面２１６から停止ボタン２２３が操作され、コミュニティ停止指示が行われると、コミュニティ管理サーバ１３０を介してコミュニティ通信を終了する。
【０１２１】
コミュニティ管理サーバ１３０は、ステップＳ３−８で利用者端末１１０によるコミュニティ通信の停止を検出すると、ステップＳ３−９で、利用者端末１１０とのコミュニティ通信を終了し、内部制御表などを更新する。
以上により、利用者は、ウェブブラウザ２１０に表示されている情報に対応して設定されたコミュニティ・テーマに直接的に参加することができるようになる。このとき、コミュニティ・テーマはウェブブラウザ２１０に表示されている情報に対応して設定されているので、コミュニティ・テーマへの参加者は、共通の情報に基づいて情報を交換できる。よって、有効な情報を取得することができるようになる。
【０１２２】
また、本実施例によれば、ウェブページの作成者は、編集端末１４０により情報提供サーバ１２０のコミュニティ禁止登録手段１２３を操作することにより、コミュニティ管理サーバ１３０のコミュニティ禁止簿１３７に自分の作成したウェブページのＵＲＬを登録することにより、自分の作成したウェブページに対してコミュニティ、テーマを作成することを禁止することができる。また、コミュニティ禁止削除手段１２４によりコミュニティ管理サーバ１３０のコミュニティ禁止簿１３７に自分の作成したウェブページのＵＲＬを削除することにより、自分の作成したウェブページに対してコミュニティ、テーマを作成することを解禁することもできる。
【０１２３】
なお、上記実施例では、利用者端末１１０がウェブページのアドレスに対応するコミュニティを管理し、必要に応じてコミュニティに参加可能としたが、利用者端末１１０がコミュニティ要求時にコミュニティ管理サーバ１３０からコミュニティ条件管理情報を取得するようにしてもよい。これにより、利用者がコミュニティ要求を行うときに、最新のコミュニティ条件管理情報を取得できるので、コミュニティの管理を確実に行えるようになる。
【０１２４】
また、利用者端末１１０は、１度、コミュニティ管理サーバ１３０からコミュニティ管理情報を取得した後は、コミュニティ管理サーバ１３０に問い合わせをしなくて済むので、利用者端末１１０がコミュニティ要求する毎にコミュニティ管理サーバ１３０が応答する必要がないので、コミュニティ管理サーバ１３０の処理の負担を軽減できる。
【０１２５】
図２０はコミュニティ管理サーバ１３０で管理されるコミュニティ条件管理表のデータ構成図を示す。
【０１２６】
コミュニティ条件管理表は、グループＩＤ、通知アドレス、条件区分、利用者識別情報から構成される。
【０１２７】
グループＩＤは、利用者が属するコミュニティを識別するための識別情報である。通知アドレスは、コミュニティに対応するウェブページのＵＲＬなどの情報である。通知アドレスは複数指定できる。条件区分は、通知する条件を規定する情報であり、例えば、通知アドレスのみ、あるいは、通知アドレス及びその１次リンクアドレス、あるいは、通知アドレス及びその下位アドレスを通知するなどの各種条件を指定できる。利用者識別情報は、条件を指定する利用者を識別するための情報である。
【０１２８】
コミュニティ条件管理表は、コミュニティ管理サーバ１３０で管理されており、利用者端末１１０によりアドレス、条件区分が指定され、図２０に示すようにグループ化されて管理される。コミュニティ条件管理表は、利用者端末１１０からのコミュニティ要求時などにコミュニティ要求があった利用者端末１１０の利用者識別情報をキーとして参照され、アドレス、条件区分などのコミュニティ条件管理情報が取得されて、利用者端末１１０に通知される。利用者端末１１０は、コミュニティ管理サーバ１３０から通知されたコミュニティ条件管理情報を参照することにより、利用者端末１１０からコミュニティ管理サーバ１３０に問い合わせるべきアドレス、及び、条件を判断できる。これによって、利用者端末１１０が不要にコミュニティ管理サーバ１３０に問い合わせることを防止でき、コミュニティ管理サーバ１３０の応答の負担を軽減できる。
【０１２９】
また、コミュニティ管理サーバ１３０、あるいは、利用者端末１１０に、利用者識別情報毎にコミュニティを識別するための情報を予め設定されたコミュニティ名に変換するコミュニティ名変換テーブルを持つことにより、利用者が任意にコミュニティ名を設定できる。
【０１３０】
さらに、本実施例では、ウェブページとコミュニティとをリンクするプログラムを、ウェブブラウザにプラグインさせているが、独立したプログラムとして持つようにしてもよい。このとき、ステータスバー２１７などに表示させておくことにより容易にウェブページからコミュニティにリンクすることが可能となる。
【０１３１】
なお、本発明は上記実施例に限定されるものではなく、本発明の要旨を逸脱しない範囲において種々の変形例が考えられることは言うまでもない。
【図面の簡単な説明】
【０１３２】
【図１】本発明の一実施例のシステム構成図である。
【図２】利用者端末１１０のブロック構成図である。
【図３】本発明の一実施例の機能ブロック図である。
【図４】環境定義ファイル３２１のデータ構成図である。
【図５】内部制御表３２２のデータ構成図である。
【図６】利用者管理簿１３４のデータ構成図である。
【図７】内部制御表１３５のデータ構成図である。
【図８】コミュニティ管理簿１３６のデータ構成図である。
【図９】コミュニティ禁止簿１３７のデータ構成図である。
【図１０】履歴情報ファイル１３８のデータ構成図である。
【図１１】環境定義ファイル１３９のデータ構成図である。
【図１２】ブラウザ画面２１０の一例を示す図である。
【図１３】環境設定画面２３０の一例を示す図である。
【図１４】コミュニティ作成画面２４０の一例を示す図である。
【図１５】停止画面２５０の一例を示す図である。
【図１６】参照画面２６０の一例を示す図である。
【図１７】コミュニティ画面２７０の一例を示す図である。
【図１８】発言履歴画面２８０の一例を示す図である。
【図１９】情報提供システム１００の処理フローチャートである。
【図２０】コミュニティ管理サーバ１３０で管理されるコミュニティ条件管理表のデータ構成図である。
【符号の説明】
【０１３３】
１００  情報提供システム
１１０  利用者端末、１２０  情報提供サーバ、１３０  コミュニティ管理サーバ
１４０  編集端末、１５０  ネットワーク
１１１  処理装置、１１２  入力装置、１１３  記憶装置、１１４  通信装置
１１５  表示装置、１１６  メモリ
１２１  認証手段、１２２  ウェブページ、１２３  コミュニティ禁止登録手段
１２４  コミュニティ禁止削除手段
１３１  制御手段、１３２  コミュニティ管理手段、１３３  コミュニティ通信手段
１３４  利用者管理簿、１３５  内部制御表、１３６  コミュニティ管理簿
１３７  コミュニティ管理簿、１３８  履歴情報ファイル、１３９  環境定義ファイル
３１１  情報表示制御手段、３１２  コミュニティ通信手段、３２１  環境定義ファイル
３２２  内部制御表
【図１】
2010055534.tif 000003
【図２】
2010055534.tif 000004
【図３】
2010055534.tif 000005
【図４】
2010055534.tif 000006
【図５】
2010055534.tif 000007
【図６】
2010055534.tif 000008
【図７】
2010055534.tif 000009
【図８】
2010055534.tif 000010
【図９】
2010055534.tif 000011
【図１０】
2010055534.tif 000012
【図１１】
2010055534.tif 000013
【図１２】
2010055534.tif 000014
【図１３】
2010055534.tif 000015
【図１４】
2010055534.tif 000016
【図１５】
2010055534.tif 000017
【図１６】
2010055534.tif 000018
【図１７】
2010055534.tif 000019
【図１８】
2010055534.tif 000020
【図１９】
2010055534.tif 000021
【図２０】
2010055534.tif 000022